(57)【要約】【課題】封口長さを均一にしやすい封口装置及び方法を提供する。【解決手段】柱状の凹部１０ｄ及び凹部１０ｄの内面に開口する連通路１０ｅを有する本体部１０と、凹部１０ｄを覆うように本体部１０に固定された弾性板２０と、凹部１０ｄ内に配置され、凹部１０ｄの軸方向に移動可能なピストン６６と、を備えた封口装置１００である。【選択図】図１
2013126744.tif 000002
【特許請求の範囲】
【請求項１】
柱状の凹部及び前記凹部の内面に開口する連通路を有する本体部と、
前記凹部を覆うように前記本体部に固定された弾性板と、
前記凹部内に配置され、前記凹部の軸方向に移動可能なピストンと、を備えた封口装置。
【請求項２】
前記本体部は、前記ピストンに接触することにより、所定の位置を超えて前記ピストンが前記凹部の底面から離れる方向に移動することを規制する接触部を有する請求項１記載の封口装置。
【請求項３】
前記ピストンは、厚み方向に流体が透過可能な孔を有する請求項２記載の封口装置。
【請求項４】
前記ピストンは、多孔質板である請求項２又は３記載の封口装置。
【請求項５】
前記弾性板は、ゴム板である請求項１〜４のいずれか一項記載の封口装置。
【請求項６】
前記連通路に接続されたポンプをさらに備える請求項１〜５のいずれか一項記載の封口装置。
【請求項７】
柱状の凹部及び前記凹部の内面に開口する連通路を有する本体部と、前記凹部を覆うように前記本体部に固定された弾性板と、前記凹部内に配置されたピストンと、を準備する工程と、
前記連通路を介して前記凹部内の流体を排出することにより前記弾性板の凹部を形成する工程と、
前記弾性板の凹部内に封口材を供給する工程と、
前記凹部と対向する位置に、複数の貫通孔を有するハニカム構造体の一端面を配置する工程と、
前記連通路を介して前記凹部内に流体を供給することにより、前記ハニカム構造体の一端面に向かって前記ピストン及び前記弾性板を移動させる工程と、を備える、端部が封口されたハニカム構造体の製造方法。
【請求項８】
前記ハニカム構造体の一端面に向かって前記ピストン及び前記弾性板を移動させた後に、前記ピストンの移動を止めた状態で前記連通路を介して前記凹部内にさらに流体を供給し、前記弾性板を凸状に突出させる工程をさらに備える請求項７記載の方法。
【発明の詳細な説明】
【技術分野】
【０００１】
本発明は封口装置及び封口方法に関する。
【背景技術】
【０００２】
従来より、ハニカムフィルタ構造体が、DPF（Diesel particulate filter）用等として広く知られている。このハニカムフィルタ構造体は、多数の貫通孔を有するハニカム構造体の一部の貫通孔の一端側を封口材で封じると共に、残りの貫通孔の他端側を封口材で封じた構造を有する。そして、特許文献１、２には、このようなハニカムフィルタ構造体を製造する装置及び方法が開示されている。
【先行技術文献】
【特許文献】
【０００３】
【特許文献１】WO2011/122635号公報
【特許文献２】WO2011/122636号公報
【発明の概要】
【発明が解決しようとする課題】
【０００４】
しかしながら、従来の方法では、封口長さの均一性が必ずしも十分ではない。
【０００５】
本発明は上記課題に鑑みてなされたものであり、封口長さを均一にしやすい封口装置及びハニカム構造体の製造方法を提供することを目的とする。
【課題を解決するための手段】
【０００６】
本発明に係る封口装置は、柱状の凹部及び前記凹部の内面に開口する連通路を有する本体部と、凹部を覆うように前記本体部に固定された弾性板と、前記凹部内に配置され、前記凹部の軸方向に移動可能なピストンと、を備えた封口装置である。
【０００７】
本発明によれば、次の手順によりハニカム構造体の貫通孔に封口材を供給することが出来る。まず、ポンプで本体部の凹部内の流体を排出することにより、ピストンを凹部の底部に移動させると共に弾性板をピストンの上面及び本体部の凹部の側面に沿うように変形させ、弾性板の凹部を形成する。次に、弾性板の凹部内に封口材を供給し、さらに凹部上にハニカム構造体を保持する。続いて、連通路から本体部の凹部内に流体を供給することにより、ピストン及び変形した弾性板をハニカム構造体に向かって押圧し、ピストンを移動させると共に弾性板の変形を解消させる。これにより、弾性板の凹部内の封口材がハニカム構造体の貫通孔内に供給される。そして、ピストン及び弾性板の移動により封口材がハニカム構造体に供給される際に、ピストンによって弾性板が支持される。これにより、弾性板の凹部の表面の平面性を維持しやすく、封口長さの均一性を高めやすい。
【０００８】
ここで、前記本体部は、前記ピストンに接触することにより、所定の位置を超えて前記ピストンが前記凹部の底面から離れる方向に移動することを規制する接触部を有することが好ましい。これによれば、接触部によってピストンの移動が規制された状態からさらに連通路を介して凹部内に流体を供給することにより、ピストンと弾性板との間に流体を供給し、弾性板を凸状に突出させることができる。こうすると、弾性板におけるハニカム構造体の一端面と対向する部分の周辺部とハニカム構造体の一端面とが引き離されるため、本体部から容易にハニカム構造体を引き離すことが出来る。
【０００９】
接触部を有する場合、ピストンは、厚み方向に流体を透過可能な孔を有することが好ましく、例えば、単孔板、多孔板、多孔質板が挙げられるが、中でも多孔質板が好ましい。
【００１０】
また、弾性板は、ゴム板であることが好ましい。これにより、弾性板の変形が容易に行なえる。
【００１１】
また、弾性板上に配置され、複数の貫通孔を有するマスクをさらに備えることが好ましい。これにより、ハニカム構造体の所望の貫通孔群に対して封口材を供給することが容易となる。
【００１２】
また、弾性板上において本体部に対してハニカム構造体を固定する状態と、本体部から離れる方向にハニカム構造体を移動可能とする状態と、を切替える、保持部をさらに備えることが好ましい。
【００１３】
本発明にかかる端部が封口されたハニカム構造体の製造方法は、柱状の凹部及び前記凹部の内面に開口する連通路を有する本体部と、前記凹部を覆うように前記本体部に固定された弾性板と、前記凹部内に配置されたピストンと、を準備する工程と、
前記連通路を介して前記凹部内の流体を排出することにより前記弾性板の凹部を形成する工程と、
前記弾性板の凹部内に封口材を供給する工程と、
前記凹部と対向する位置に、複数の貫通孔を有するハニカム構造体の一端面を配置する工程と、
前記連通路を介して前記凹部内に流体を供給することにより、前記ハニカム構造体の一端面に向かって前記ピストン及び前記弾性板を移動させる工程と、を備える。
【００１４】
ここで、前記ハニカム構造体の一端面に向かって前記ピストン及び前記弾性板を移動させた後に、前記ピストンの移動を止めた状態で前記連通路を介して前記凹部内にさらに流体を供給し、前記弾性板を凸状に突出させる工程をさらに備えることが好ましい。
【発明の効果】
【００１５】
本発明によれば、封口長さの均一性に優れたハニカム構造体の製造方法及び封口装置が提供される。
【図面の簡単な説明】
【００１６】
【図１】図１は、本発明の一実施形態に係る封口装置の概略断面図である。
【図２】図２は、図１の封口装置のＩＩ−ＩＩ矢視図である。
【図３】図３の（ａ）は、図１の封口装置で用いるハニカム構造体の斜視図、図３の（ｂ）は、図３の（ａ）の部分拡大図である。
【図４】図４の（ａ）は、図１のマスクの斜視図、図４の（ｂ）は、図４の（ａ）の部分拡大図である。
【図５】図５の（ａ）は、図１の封口装置の動作を説明する部分断面図であり、図５の（ｂ）は、図５の（ａ）に続く部分断面図である。
【図６】図６の（ａ）は、図５の（ｂ）に続く部分断面図であり、図６の（ｂ）は、図６の（ａ）に続く部分断面図である。
【図７】図７の（ａ）は、図６の（ｂ）に続く部分断面図であり、図７の（ｂ）は、図７の（ａ）に続く部分断面図である。
【図８】図８の（ａ）は、図７の（ｂ）に続く部分断面図であり、図８の（ｂ）は、図７の（ａ）に続く部分断面図である。
【発明を実施するための形態】
【００１７】
本発明に係る封口装置の好適な実施形態について、図面を参照して説明する。なお、説明において、同一要素又は同一機能を有する要素には同一符号を用いることとし、重複する説明は省略する。
【００１８】
図１は、本実施形態の一例に係る封口装置１００の概略断面図である。本実施形態に係る封口装置１００は、主として、本体部１０、弾性板２０、ポンプ５０、保持部８０、及び、ピストン６６を備える。
【００１９】
本体部１０は、剛性材料から形成されている。剛性材料としては、ステンレス等の金属や、繊維強化プラスチック等のポリマー材料が挙げられる。本体部１０の上面１０ａには、柱状の凹部１０ｄが形成されている。本実施形態では、凹部１０ｄの形状は、図１及び図２に示すように、円柱状とされている。そして、本実施形態では、本体部１０の上面１０ａにおける凹部１０ｄの周りの部分１０ａａに対して、凹部１０ｄの側面１０ｂが垂直、かつ、底面１０ｃが平行とされている。凹部１０ｄの直径は、例えば、１００〜３２０ｍｍとすることができる。凹部１０ｄの深さは、例えば、０．２〜２０ｍｍとすることができる。
【００２０】
凹部１０ｄの側面１０ｂの上端には、図２に示すように、円周方向に離間して配置された複数の突起１０ｂｂ（接触部）が設けられている。
【００２１】
図１に戻って、ピストン６６は、凹部１０ｄ内に設けられており、柱状の凹部１０ｄの軸方向に移動可能となっている。ピストン６６の平面形状は、柱状の凹部１０ｄのその軸に直交する断面形状と同じ、すなわち円形とされている。ピストン６６は、後述する流体ＦＬをその厚み方向に透過可能とする孔を有する。ピストン６６は、いわゆる単孔板や多孔板でもよいが、多孔質板であることが好ましい。多孔質板としては、例えば焼結金属板が挙げられる。ピストン６６の厚みは、後述する「弾性板の凹部」を形成できる厚みであれば特に限定されないが、例えば、２〜２０ｍｍとすることができる。
【００２２】
ピストン６６の上面の端部には、凹部１０ｄの突起１０ｂｂを収容可能な切り欠き６６ａが形成されている。弾性板２０が後述するマスク１７０に接触するまでピストン６６が上方へ移動すると、突起１０ｂｂ及び切り欠き６６ａが互いに接触し、それを超えてピストン６６が底面１０ｃから離れる方向に移動しないように、突起１０ｂｂ及び切り欠き６６ａの位置及び大きさが設定されている。
【００２３】
ピストン６６の孔の大きさや数は、ピストン６６の移動が突起１０ｂｂにより規制されていない場合には、連通路１０ｅから流体ＦＬが供給されるとピストン６６が底面１０ｃから離れる方向に移動して弾性板２０を押し上げるように、ピストン６６の移動が突起１０ｂｂにより規制されている場合には、連通路１０ｅから供給された流体ＦＬがピストン６６を通過してピストン６６と弾性板２０との間に供給されるように、流体の密度や粘度などを考慮して定められる。
【００２４】
弾性板２０は、凹部１０ｄの開口面を覆うように、本体部１０における、上面１０ａ上に、配置されている。弾性板２０は、弾性を有し、容易に変形しうる。弾性板２０としては、ゴム板が好ましい。ゴムとしては、天然ゴムや、スチレンブタジエンゴム、ブタジエンゴム、ブチルゴム、エチレンプロピレンゴム、ニトリルゴム、クロロプレンゴム、ふっ素ゴム、シリコーンゴム、ウレタンゴム等の合成ゴムが挙げられる。弾性板２０の厚みは特に限定されないが、例えば、０．３〜３．０ｍｍとすることができる。
【００２５】
弾性板２０は、リング部材２５、及び、ボルト３１により本体部１０に固定されている。リング部材２５は、本体部１０の凹部１０ｄに対応する位置に開口２５ａを有し、これにより環状形状をなしている。そして、リング部材２５は、弾性板２０における中央部（凹部１０ｄとの対向部）が露出するように弾性板２０上に配置されている。これにより、弾性板２０の周辺部が、本体部１０とリング部材２５とにより挟まれている。リング部材２５及び弾性板２０には貫通孔ｈがそれぞれ形成され、本体部１０には、これら貫通孔ｈに対応するねじ孔ｊが形成されており、ボルト３１がこれらの貫通孔ｈを貫通して配置され、ねじ孔ｊにねじ込まれて固定されることにより、本体部１０の上面１０ａにおける凹部１０ｄの周りの部分１０ａａに、弾性板２０の周辺部が密着して固定されている。
【００２６】
図１及び図２に示すように、リング部材２５の開口２５ａの内径は、本体部１０の凹部１０ｄの内径よりも大きくされていることが好ましい。
【００２７】
本体部１０は、さらに、凹部１０ｄの底面１０ｃに開口する連通路１０ｅを有している。
【００２８】
連通路１０ｅには、接続パイプ１４を介してポンプ５０が接続されている。
【００２９】
ポンプ５０は、シリンダ５１、シリンダ５１内に配置されたピストン５３、及び、ピストン５３に接続されたピストンロッド５４を備える。ピストンロッド５４には、ピストンロッド５４を軸方向に往復移動させるモータ５５が接続されている。なお、ピストンロッド５４を手動で動かしてもよい。
【００３０】
本実施形態では、弾性板２０と、ピストン５３と、の間には、本体部１０、接続パイプ１４、及び、シリンダ５１により形成される閉鎖空間Ｖが形成され、閉鎖空間Ｖ内には、流体ＦＬが充填されている。流体ＦＬは、特に限定されないが、空気等の気体が好ましい。流体は、スピンドルオイル等の液体でもよい。そして、ピストン５３を移動させることにより、本体部１０の凹部１０ｄ内から流体ＦＬを排出することができ、また、凹部１０ｄ内に流体ＦＬを供給することが出来る。
【００３１】
本体部１０の上には、保持部８０が設けられている。保持部８０は、ハニカム構造体７０を保持する保持具８１、及び保持具８１が接続された空気圧シリンダ８２を有する。
【００３２】
保持具８１は、ハニカム構造体７０を、図１に示すように、貫通孔７０ａの一方側の開口面が弾性板２０及び凹部１０ｄと対向するように保持する。
【００３３】
空気圧シリンダ８２は、上下方向に延びるシリンダ８２ａと、シリンダ８２ａ内に設けられたピストン８２ｂとを有し、外部からの供給する圧力を調整することによりピストン８２ｂの上下両側での圧力を調節可能となっている。そして、これにより空気圧シリンダ８２は、保持具８１を、ハニカム構造体７０と弾性板２０とが近づく方向及びこれらが互いに離れる方向にそれぞれ移動可能である。また、空気圧シリンダ８２は、ピストン８２ｂの前後のガスの供給圧力に応じて保持具８１を下方に所定の力で押圧することにより、ハニカム構造体７０を後述するマスク１７０に対して密着させることができる。さらに、空気圧シリンダ８２は、ピストンの前後の圧力を開放することにより、保持具８１が上下方向に自由に移動することを許可することもできる。すなわち、保持部８０は、保持具８１が保持したハニカム構造体７０を上方向に自由に移動可能とする状態と、ハニカム構造体７０を本体部１０に対して固定する状態とを切替え可能である。
【００３４】
本実施形態で用いる一例のハニカム構造体７０は、図３の（ａ）に示すように、多数の貫通孔７０ａが略平行に配置された円柱体である。貫通孔７０ａの断面形状は、図３の（ｂ）に示すように六角形である。これらの複数の貫通孔７０ａは、ハニカム構造体７０において、端面から見て、正三角形配置、すなわち、貫通孔７０ａの中心軸が、正三角形の頂点にそれぞれ位置するように配置されている。貫通孔７０ａの断面の六角形のサイズは、例えば、一辺０．８〜２．５ｍｍとすることができる。
【００３５】
また、ハニカム構造体７０の貫通孔７０ａが延びる方向の長さは特に限定されないが、例えば、４０〜３５０ｍｍとすることができる。また、ハニカム構造体７０の外径も特に限定されないが、例えば、１００〜３２０ｍｍとすることできる。
【００３６】
ハニカム構造体７０の材料は特に限定されないが、高温耐性の観点から、セラミクス材料が好ましい。例えば、アルミナ、シリカ、ムライト、コーディエライト、ガラス、チタン酸アルミニウム等の酸化物、シリコンカーバイド、窒化珪素、金属等が挙げられる。なお、チタン酸アルミニウムは、さらに、マグネシウム及び／又はケイ素を含むことができる。このような、ハニカム構造体７０は通常多孔質である。
【００３７】
また、ハニカム構造体７０は、後で焼成することにより上述のようなセラミック材料となるグリーン成形体（未焼成成形体）であってもよい。グリーン成形体は、セラミクス原料である無機化合物源粉末、及び、メチルセルロース等の有機バインダ、及び、必要に応じて添加される添加剤を含む。
【００３８】
例えば、チタン酸アルミニウムのグリーン成形体の場合、無機化合物源粉末は、αアルミナ粉等のアルミニウム源粉末、及び、アナターゼ型やルチル型のチタニア粉末等のチタニウム源粉末を含み、必要に応じて、さらに、マグネシア粉末やマグネシアスピネル粉末等のマグネシウム源粉末及び／又は、酸化ケイ素粉末やガラスフリット等のケイ素源粉末を含むことができる。
【００３９】
有機バインダとしては、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩を例示できる。
【００４０】
添加物としては、例えば、造孔剤、潤滑剤および可塑剤、分散剤、溶媒が挙げられる。
【００４１】
造孔剤としては、グラファイト等の炭素材；ポリエチレン、ポリプロピレン、ポリメタクリル酸メチル等の樹脂類；でんぷん、ナッツ殻、クルミ殻、コーンなどの植物材料；氷；およびドライアイス等などが挙げられる。
【００４２】
潤滑剤および可塑剤としては、グリセリンなどのアルコール類；カプリル酸、ラウリン酸、パルミチン酸、アラキジン酸、オレイン酸、ステアリン酸などの高級脂肪酸；ステアリン酸アルミニウムなどのステアリン酸金属塩；ポリオキシアルキレンアルキルエーテルなどが挙げられる。
【００４３】
分散剤としては、たとえば、硝酸、塩酸、硫酸などの無機酸；シュウ酸、クエン酸、酢酸、リンゴ酸、乳酸などの有機酸；メタノール、エタノール、プロパノールなどのアルコール類；ポリカルボン酸アンモニウムなどの界面活性剤などが挙げられる。
【００４４】
溶媒としては、たとえば、メタノール、エタノール、ブタノール、プロパノールなどのアルコール類；プロピレングリコール、ポリプロピレングリコール、エチレングリコールなどのグリコール類；および水などを用いることができる。
【００４５】
図１に示すマスク１７０は、弾性板２０上におけるリング部材２５の開口２５ａ内に配置されるものである。マスク１７０の材料は特に限定されず、例えば、金属や樹脂が挙げられる。
【００４６】
図４の（ａ）に、本実施形態で用いるマスク１７０の一例を示す。マスク１７０は、円形の板状部材であり、厚み方向に伸びる多数の貫通孔１７０ａを有する。貫通孔１７０ａの断面形状は、図４の（ｂ）に示すように、ハニカム構造体７０の貫通孔７０ａ（図３の（ｂ）参照）に対応する六角形又は円形である。これらの複数の貫通孔１７０ａは、図４の（ｂ）に示すように、図３の（ｂ）の正三角形配置された複数の貫通孔７０ａのうち、一部の貫通孔のみと対向するように配置される。なお、マスク１７０の貫通孔１７０ａの位置決めを容易にすべく、マスク１７０には、オリエンテーションフラット１７０ｂが形成され、これに対応してリング部材２５にもオリエンテーションフラットに対応する突起２５ｂを設けてもよい。図１に示すように、マスク１７０の外径は、本体部１０の凹部１０ｄの内径よりも大きくされていることが好ましい。
【００４７】
なお、本体部１０には、本体部１０に超音波振動を与える機構、本体部を鉛直軸周りに回転させる機構等の、封口材１３０の液面を平坦にするレベリング機構１４０が設けられていることが好ましい。
【００４８】
（ハニカム構造体の製造方法）
つづいて、上述の封口装置１００を用いたハニカム構造体の製造方法について説明する。まず、図１の状態から、予め、空気圧シリンダ８２を駆動して、ハニカム構造体７０を保持する保持具８１上方に引き上げておくと共に、マスク１７０を弾性板２０上から外しておく。次に、ポンプ５０のピストン５３を下方に引くことにより、本体部１０の凹部１０ｄから流体ＦＬを下方に排出させる。これにより、図５の（ａ）に示すように、ピストン６６が凹部１０ｄの底面１０ｃに接触すると共に弾性板２０が変形してピストン６６の上面及び凹部１０ｄの側面１０ｂに密着し、これによって、弾性板２０の凹部２０ｄが形成する。
【００４９】
続いて、図５の（ｂ）に示すように、弾性板２０の凹部２０ｄ内に封口材１３０を供給する。必要に応じて、レベリング機構を駆動することにより、封口材１３０の表面の平坦化、脱泡を促す。
【００５０】
（封口材）
封口材１３０は、ハニカム構造体７０の貫通孔７０ａの端部を閉鎖できるものであれば特に限定されないが、液状であることが好ましい。例えば、封口材として、セラミクス材料又はセラミクス原料と、バインダと、溶媒とを含むスラリーが例示できる。
【００５１】
セラミクス材料としては、上述のハニカム構造体の構成材料や、その原料が挙げられる。
【００５２】
バインダとしては、メチルセルロース、カルボキシルメチルセルロース、ヒドロキシアルキルメチルセルロース、ナトリウムカルボキシルメチルセルロースなどのセルロース類；ポリビニルアルコールなどのアルコール類；リグニンスルホン酸塩等の有機バインダを例示できる。
【００５３】
バインダの使用量は、例えば、３〜５０００ｍＬとすることができる。
【００５４】
溶媒としては、たとえば、メタノール、エタノール、ブタノール、プロパノールなどのアルコール類；プロピレングリコール、ポリプロピレングリコール、エチレングリコールなどのグリコール類；および水などを用いることができる。なかでも、水が好ましく、不純物が少ない点で、より好ましくはイオン交換水が用いられる。
【００５５】
溶媒の使用量は、１５〜４０重量％とすることができる。
【００５６】
続いて、図６の（ａ）に示すように、本体部１０の凹部１０ｄを覆うように弾性板２０上にマスク１７０をセットし、次いで、空気圧シリンダ８２により保持具８１を下方に移動させてハニカム構造体７０をマスク１７０に接触させることにより、ハニカム構造体７０の一部の貫通孔７０ａと、マスク１７０の貫通孔１７０ａとを連通させ、さらに、空気圧シリンダ８２により保持具８１を下方に押圧し、ハニカム構造体７０の下端面（一端面）がマスク１７０を介して弾性板２０の凹部２０ｄと対向するように、ハニカム構造体７０をマスク１７０及び本体部１０に対して固定する。
【００５７】
次いで、ポンプ５０のピストンを上方に移動させることにより、凹部１０ｄ内に流体ＦＬを供給し、これによって、図６の（ｂ）に示すように、ピストン６６及び弾性板２０をマスク１７０に向かって移動させる。この工程は、図７の（ａ）に示すように、弾性板２０がマスク１７０に接触し、弾性板２０の変形が解消して平面状態となるまで行なう。この移動が終わったときに、ピストン６６の切り欠き６６ａと凹部１０ｄの突起１０ｂｂとが接触する。
【００５８】
これにより、封口材１３０がマスク１７０の貫通孔１７０ａを介して、ハニカム構造体７０の一部の貫通孔７０ａ内に供給され、封口部７０ｐが形成する。そして、弾性板２０により封口材１３０がハニカム構造体７０の貫通孔７０ａに供給される際に、ピストン６６が弾性板２０の凹部２０ｄを上方に押し上げ、弾性板２０が平坦なピストン６６に支持されるので、弾性板２０の凹部２０ｄの底面の平面性を維持しやすい。したがって、封口部７０ｐの封口長さの均一性を高めやすい。
【００５９】
続いて、空気圧シリンダ８２によるハニカム構造体７０の下方向への押圧を停止してハニカム構造体７０が上方に自由に移動できるようした後、ピストン５３をさらに上昇させる。このとき、ピストン６６の切り欠き６６ａと凹部１０ｄの突起１０ｂｂとが接触しているので、ピストン６６は上昇できない。したがって、流入した流体ＦＬは、ピストン６６を透過して、弾性板２０と本体部１０との間に供給される。これにより、図７の（ｂ）に示すように、弾性板２０におけるハニカム構造体の一端面と対向する部分は上方向に凸状（ドーム状）に変形する。これにより、マスク１７０の中央部に荷重が印加され、マスク１７０及びハニカム構造体７０が上方に移動する。このとき、凸状に変形する弾性板２０の周辺部はマスク１７０から離れるので、これにより、マスク１７０及びハニカム構造体７０を、本体部１０から容易に引き離すことが出来る。
【００６０】
続いて、ハニカム構造体７０を保持具８１から外した後、天地をひっくり返したうえで再びハニカム構造体７０を保持具８１に保持する。次いで、マスク１７０とは貫通孔１７０ａの配置が正反対の配置、すなわち、マスク１７０で貫通孔が形成されていない場所に貫通孔が配置されたマスク１７０’を用いて、同様の操作を行なう。これにより、図８の（ａ）に示すように、残りの貫通孔７０ａの他端側が封口材で封口され、封口部７０ｐが形成する。続いて、上述と同様にして弾性板２０におけるハニカム構造体の一端面と対向する部分を上に凸状に変形させることにより、マスク１７０’及びハニカム構造体７０を容易に本体部１０及び弾性板２０から引き離すことが出来る。
【００６１】
そしてこのようにして、貫通孔７０ａの両端が封口されたハニカム構造体７０を乾燥、焼成等することにより、ハニカムフィルタ構造体を製造することが出来る。
【００６２】
本実施形態によれば、弾性板２０により封口材１３０がハニカム構造体７０に供給される際に、ピストン６６によって弾性板２２が支持される。これにより、弾性板の表面の平面性が維持しやすく、封口長さの均一性を高めやすい。
【００６３】
なお、本発明は上記実施形態に限定されるものでなく、様々な変形態様が可能である。
【００６４】
例えば、上記実施形態では、弾性板２０が、リング部材２５、及び、ボルト３１により、本体部１０に対して固定されているが、固定方法は特に限定されない。例えば、弾性板２０が接着剤によって、凹部１０ｄの上面１０ａにおける凹部１０ｄ周りの部分１０ａａに固定されていてもよい。
【００６５】
また、上述では、連通路１０ｅが、本体部１０及び接続パイプ１４により形成されているが、接続パイプ１４を有さずに本体部１０に直接ポンプ５０が接続されていてもよい。
【００６６】
また、上記実施形態では、ポンプ５０として、シリンダ５１、ピストン５３、及び、ピストンロッド５４を備えたピストンポンプを採用しているが、流体を供給及び排出できるものであれば特に限定されない。
【００６７】
また、柱状の凹部１０ｄの形状は、ピストンが６６が軸方向に移動できる形状であれば特に限定されず、封口対象となるハニカム構造体７０にあわせて適宜設定できる。
例えば、柱状の凹部１０ｄの断面形状は、円形以外に楕円形、矩形、正方形等とすることもできる。この場合、矩形や正方形の場合の大きさは、例えば、一辺５０〜３００ｍｍとすることができる。また、柱状の凹部１０ｄ内を軸方向に移動できるように、ピストン６６の平面形状も、円形以外に楕円形、矩形、正方形等の種々の形状を有することができる。
また、本体部１０の上面１０ａにおける凹部１０ｄの周りの部分１０ａａに対して、底面１０ｃが平面である必要は無く、例えば、斜面であったり曲面であってもよい。
【００６８】
また、上記実施形態では、保持部８０は空気圧シリンダ８２を備えるがこれに限られず、たとえば、歯車機構等の種々の機構に代替することが出来る。
【００６９】
また、保持部８０は必ずしも必須ではない。例えば、封口材を供給するときには錘をハニカム構造体７０の上に載せることによりハニカム構造体を本体部１０に対して固定し、ハニカム構造体７０を本体部から離れさせる際には、錘を除去してハニカム構造体を移動可能としてもよい。また、ハニカム構造体がある程度の重量を有する場合には、自重によって固定されるので特段の固定手段を有さない態様も可能である。
【００７０】
ハニカム構造体７０の形状や構造も上述に限定されない。例えば、ハニカム構造体７０の外形形状も円柱でなくてもよく、例えば、四角柱等の角柱でもよい。また、ハニカム構造体７０の貫通孔７０ａの断面形状は、六角形でなくてもよく、例えば、正方形、長方形、三角形、六角形以外の多角形、円形等でも構わない。さらに、貫通孔７０ａの配置も、三角形配置でなくてもよく、例えば、正方形配置、千鳥配置等でも構わない。また、この場合、マスクの貫通孔の形状や配置も、ハニカム構造体７０の貫通孔７０ａの形状や配置に応じて適宜変更でき、貫通孔の形状と異なっていてもよい。
【００７１】
また、マスクの貫通孔の位置も任意の位置に設定できる。さらに、このようなマスク１７０を用いなくても実施可能である。例えば、封口処理の前に、ハニカム構造体７０の一部の貫通孔７０ａ内に加熱すると分解する材料により栓をしておき、封口後に栓を熱分解等すればよい。本発明では、マスクを使用しない場合であっても、封口処理後に凸状に変形する弾性板２０によって、ハニカム構造体７０を本体部１０や弾性板２０から容易に引き離すことが出来るという効果がある。
【００７２】
なお、本実施形態では、連通路１０ｅは凹部１０ｄの底面１０ｃに開口しているが、凹部１０ｄの内面に開口していれば良く、例えば、凹部１０ｄの側面１０ｂに開口していてもよい。また、連通路１０ｅの開口の形状や数も特に限定されない。連通路１０ｅが側面１０ｂのみに開口している場合には、当該開口位置よりも上の部分でピストン６６を移動させることが好ましい。
【００７３】
また、上記実施形態では、所定の位置（例えば、封口を終了する位置）を超えてピストンが底面から離れる方向に移動することを規制する接触部として、突起１０ｂｂを備えているが他の構成、例えば、柱状の凹部１０ｄの径を上に行くほど狭くなるようなテーパ形状にする等にしてもよい。所定の位置も特に限定されず、上記実施形態のように、弾性板２０の凹部２０ｄが解消する位置としてもよいが、それよりも下、あるいは、上としても実施は可能である。また、接触部が無くても封口の実施は可能である。この場合、封口後に、弾性板２０を凸状に突出させて弾性板２０からハニカム構造体７０を引き離すかわりに、本体部１０に対してハニカム構造体７０に水平方向の力や軸回転の力を与えることができ、これにより弾性板２０からハニカム構造体を引き離すことができる。
【００７４】
また、上記実施形態では、ピストン６６が流体を流通可能な孔を有するが、弾性板を凸状に突出させない場合や、ピストン６６と筒状の凹部１０ｄとの間に十分な隙間がある場合には孔がないソリッドな板でも実施は可能である。
【符号の説明】
【００７５】
１０…本体部、１０ｂ…凹部、１０ｂｂ…突起（接触部）、１０ｅ…連通路、２０…弾性板、３０…凹部、５０…ポンプ、６６…ピストン、６６ａ…切り欠き、７０…ハニカム構造体、８０…保持部、１００…封口装置、１７０…マスク。
【図１】
2013126744.tif 000003
【図２】
2013126744.tif 000004
【図３】
2013126744.tif 000005
【図４】
2013126744.tif 000006
【図５】
2013126744.tif 000007
【図６】
2013126744.tif 000008
【図７】
2013126744.tif 000009
【図８】
2013126744.tif 000010